(57)【特許請求の範囲】
【請求項１】
可撓性を有する防音マットと、
仮設足場の支柱に接続可能に処理された接続部を両端に備える少なくとも１つの桟と、
前記桟を前記支柱と直交する方向に前記防音マットの一方の面に取り付けるフックと、
を備える防音機能付仮設足場部材。
【請求項２】
前記桟が前記防音マットの一方の面の上端及び下端に設けられる請求項１に記載の防音
機能付仮設足場部材。
【請求項３】
前記防音マットの一方の面の上端に設けられる面ファスナと、
前記防音マットの他方の面の下端に設けられる面ファスナと、
を備える請求項１又は２に記載の防音機能付仮設足場部材。
【請求項４】
前記防音マットは、前記支柱の軸方向に延びる接合部を有する二枚の防音マットで構成
され、
一方の防音マットに形成した切り欠き部と他方の防音マットに形成した切り欠き部とが
互いに咬合され、
一方の防音マットの前記切り欠き部により形成されるフラップと他方の防音マットの前
記切り欠き部により形成されるフラップとを互いに重ね合わせて前記接合部が形成され、
前記接合部は、前記防音マットの上端のフックと前記防音マットの下端のフックとを結
ぶ線を含むように形成される、
請求項１乃至３の何れか一項に記載の防音機能付仮設足場部材。
【請求項５】
前記桟の両端部の接続部が、くさび緊結式足場の支柱に接続するためのくさび部である
、請求項１乃至４の何れか一項に記載の防音機能付仮設足場部材。
【請求項６】
前記桟の両端部の接続部が、枠組足場の支柱に接続するための長穴を有する平板状の接
続部である、請求項１乃至４の何れか一項に記載の防音機能付仮設足場部材。
【請求項７】
請求項１乃至請求項６の何れか一項に記載の防音機能付足場部材が複数設置された仮設
足場構造であって、仮設足場の支柱上下方向に隣接して設置された２つの防音機能付足場
部材は、
支柱下方向に設置された防音機能付仮設足場部材の一方の面の上端に設けられた面ファスナと、支柱上方向に設置された防音機能付仮設足場部材の他方の面の下端に設けられた面ファスナとが互いに接続されていることを特徴とする仮設足場構造。
【請求項８】
仮設足場の支柱上方向に設置された防音機能付足場部材の他方の面の下端と、仮設足場の支柱下方向に設置された防音機能付足場部材の一方の面の上端とが、面ファスナを介して接続され、前記他方の面が前記仮設足場の外側を、前記一方の面が前記仮設足場の内側を、それぞれ向いている請求項１乃至６の何れか一項に記載の防音機能付足場部材を備える仮設足場構造。
【発明の詳細な説明】
【技術分野】
【０００１】  本発明は、仮設足場に係り、特に防音機能を備えた仮設足場部材及びそれが設置された仮設足場構造に関する。
【背景技術】
【０００２】  建設現場で発生する騒音や粉塵の拡散を防ぐため、従来より、仮設足場を囲むように防音パネルを設置する方法が用いられている。このような防音パネルは、仮設足場を構成する各支柱間の桟にクランプされ、必要に応じて複数の防音パネルを設置して仮設足場を囲い騒音や粉塵の拡散を防止している。【０００３】  上述の防音パネルは、仮設足場とは別付けのオプションとして用意されている。そして、防音パネルを設置する作業としては、仮設足場を組みながら、または仮設足場が完成したあとに、別付けの防音パネルを設置する方法が採られている（特許文献１参照）。
【先行技術文献】
【特許文献】
【０００４】
【特許文献１】特開２００１−２６２７３１号公報
【発明の概要】
【発明が解決しようとする課題】
【０００５】  上述のように、仮設足場を囲む防音パネルを別付けの方法で取り付ける方法は、防音パネルの取り付けるという工数が増えるという問題がある。【０００６】  本発明は上記事情に鑑みてなされたもので、工数を増加させることなく仮設足場における防音対策を可能にすることを目的とする。
【課題を解決するための手段】
【０００７】  本発明の防音機能付仮設足場部材は、可撓性を有する防音マットと、仮設足場の支柱に接続可能に処理された接続部を両端に備える少なくとも１つの桟と、前記桟を前記支柱と直交する方向に前記防音マットの一方の面に取り付けるフックと、を備える。【０００８】  上記構成によれば、仮設足場の支柱に接続するための桟と防音パネルとを一体化するおとにより、防音パネルを別付けの方法で取り付ける必要がなくなるため、工数を増加させることなく仮設足場における防音対策を行うことができる。【０００９】  上記構成において、前記桟が前記防音マットの一方の面の上端及び下端に設けられる。【００１０】  上記構成によれば、防音機能付仮設足場部材を支柱に確実に設置することができる。【００１１】  上記構成において、前記防音マットの一方の面の上端に設けられる面ファスナと、前記防音マットの他方の面の下端に設けられる面ファスナと、を備える。【００１２】  上記構成によれば、仮設足場を囲む防音マットを複数設置する際に、支柱上方向にある防音機能付仮設足場部材の下端と、支柱下方向にある防音機能付仮設足場部材の上端とが、防音パネルの一方の面において垂直方向に対して下向きのルーバーを形成するように互いに重なり合いながら面ファスナを介して接続することができる。【００１３】  上記構成において、前記防音マットは、前記支柱の軸方向に延びる接合部を有する二枚の防音マットで構成され、一方の防音マットに形成した切り欠き部と他方の防音マットに形成した切り欠き部とが互いに咬合され、一方の防音マットの前記切り欠き部により形成されるフラップと他方の防音マットの前記切り欠き部により形成されるフラップとを互いに重ね合わせて前記接合部が形成され、前記接合部は、前記防音マットの上端のフックと前記防音マットの下端のフックとを結ぶ線を含むように形成される。【００１４】  上記構成によれば、二枚の防音マットを接合幅を設けて接合することができ、接合部の存在により、防音マットに風圧が印加された場合でも防音マットのたわみ量を少なくすることができる。【００１５】  上記構成において、前記桟の両端部の接続部が、くさび緊結式足場の支柱に接続するためのくさび部である。または、前記桟の両端部の接続部が、枠組足場の支柱に接続するための長穴を有する平板状の接続部である。【００１６】  上記構成によれば、防音機能付仮設足場部材を、くさび緊結式仮設足場または枠組足場に適用することができる。【００１７】
本発明の仮設足場構造は、請求項１乃至請求項６の何れか一項に記載の防音機能付足場部材が複数設置された仮設足場構造であって、仮設足場の支柱上下方向に隣接して設置された２つの防音機能付足場部材は、支柱下方向に設置された防音機能付仮設足場部材の一方の面の上端に設けられた面ファスナと、支柱上方向に設置された防音機能付仮設足場部材の他方の面の下端に設けられた面ファスナとが互いに接続されているものである。
【００１８】
本発明の仮設足場構造は、仮設足場の支柱上方向に設置された防音機能付足場部材の他方の面の下端と、仮設足場の支柱下方向に設置された防音機能付足場部材の一方の面の上端とが、面ファスナを介して接続され、前記他方の面が前記仮設足場の外側を、前記一方の面が前記仮設足場の内側を、それぞれ向いている請求項１乃至６の何れか一項に記載の防音機能付足場部材を備える。
【発明の効果】
【００１９】  本発明に係る防音機能付仮設足場部材によれば、仮設足場の支柱に接続するための桟と防音パネルとを一体化することにより、防音パネルを別付けの方法で取り付ける必要がなくなるため、工数を増加させることなく仮設足場における防音対策を行うことができる。
【図面の簡単な説明】
【００２０】
【図１】  本発明の実施の形態に係る防音機能付仮設足場部材の構成を示す斜視図である。
【図２】  図１に示した防音マット１０１の構成を説明するための分解図である。
【図３】  図２に示した防音マット１０１ａと防音マット１０１ｂとの接合部の構成を示す模式図である。
【図４】  防音機能付仮設足場部材１００を図示しない支柱に取り付けた状態を示す模式図である。
【図５】  複数の防音機能付仮設足場部材１００を接続したときの接続部の様子を示す模式図である。
【発明を実施するための最良の形態】
【００２１】以下、本発明の実施の形態を図面を参照して説明する。【００２２】  図１は、本発明の実施の形態に係る防音機能付仮設足場部材の構成を示している。防音機能付仮設足場部材１００は、可撓性を有する防音マット１０１と、仮設足場の支柱に接続可能に処理された接続部を両端に備える、支柱方向上下一対の桟１０３ａ、１０３ｂと、桟１０３ａを支柱に直交する方向に防音マット１０１の一方の面の上端に取り付けるＵ字フック１０５ａと、桟１０３ｂを支柱に直交する方向に防音マット１０１の一方の面の下端に取り付けるＵ字フック１０５ｂと、防音マット１０１の一方の面の上端に設けられる面ファスナ１０７ａと、防音マット１０１の他方の面の下端に設けられる面ファスナ１０７ｂと、を備える。【００２３】  桟１０３ａ、１０３ｂの両端に設けられる接続部は、くさび緊結式仮設足場の場合は、図１に示すように、支柱に設けられたコマに打ち込むためのくさびであり、枠組仮設足場の場合は、支柱に設けられたプレスピンに係合させるための長穴を有する平板状に加工された接続部である（図４参照）。【００２４】  図２は防音マット１０１の構成を説明するための分解図である。防音マット１０１は、２枚の防音マット１０１ａ、１０１ｂで構成されており、一方の防音マット１０１ａに形成された切り欠き部２０１ａと対向する位置に、他方の防音マット１０１ｂの切り欠き部２０１ｂが形成される。【００２５】  防汚マット１０１ａに形成した切り欠き部２０１ａによりフラップ２０３ａが生成され、防音マット１０１ｂに形成した切り欠き部２０１ｂによりフラップ２０３ｂｆが生成される。【００２６】  図３は防音マット１０１ａと防音マット１０１ｂとの接合部の構成を示している。防音マット１０１ａに形成した切り欠き部２０１ａと防音マット１０１ｂに形成した切り欠き部２０１ｂとを咬合させた状態で、防音マット１０１ａのフラップ２０３ａと防音マット１０１ｂのフラップ２０３ｂとを交互に重ね合わせ、仮設足場の支柱の軸方向に延びる接合部を形成する。【００２７】  接合部は、防音マット１０１の上端の中央のＵ字フック１０５ａと防音マット１０１の下端の中央のＵ字フック１０５ｂとを結ぶ線を含むように形成される。【００２８】  接合部の各フラップを互いに重ね合わせた状態で、フラップの外縁に沿って縫合するとともに、各フラップを互いに接着することにより、防音マット１０１ａと防音マット１０１ｂとを接合して防音マット１０１を構成する。【００２９】  防音マット１０１ａと防音マット１０１ｂとを接合幅を設けて接合することにより、防音マット１０１のたわみ量を少なくすることができる。したがって、強風により防音マット１０１に相当な風圧が印加されたときでも、防音マット１０１のたわみを抑えることができる。【００３０】  上記実施の形態では、防音マット１０１と桟１０３ａ、１０３ｂとを接続しているＵ字フック１０５ａ、１０５ｂが設けられている部分に接合部を設けている。これにより、防音マット１０１に風圧が印加されたときのたわみを抑えることができる。【００３１】  図４は防音機能付仮設足場部材１００を図示しない支柱に取り付けた状態を示している。なお、図４は、枠組仮設足場に接続する���めの桟の形状を示しており、図示しない支柱のプレスピンに係合させるための長穴を有する平板状に加工された接続部を備える桟を示している。【００３２】  防音機能付仮設足場部材１００は、他方の面（面ファスナ１０７ｂが設けられている面）が仮設足場の外側を向くように図示しない支柱に接続される。仮設足場に防音機能付仮設足場部材を複数設置する場合、仮設足場の支柱上下方向に隣接して設置された２つの防音機能付仮設足場部材は、支柱上方向に設置された防音機能付仮設足場部材の防音パネル１０１の他方の面の下端に設けられた面ファスナ１０７ｂと、支柱下方向に設置された防音機能付仮設足場部材の防音パネル１０１の一方の面の上端に設けられた面ファスナ１０７ａとが互いに接続されている。【００３３】  図５は複数の防音機能付仮設足場部材１００を接続したときの接続部の様子を示している。仮設足場の支柱上方向にある防音機能付仮設足場部材１００の下端と、仮設足場の支柱下方向にある防音機能付仮設足場部材１００の上端とが、防音パネル１０１の一方の面において、垂直方向に対して下向きのルーバーを形成するように互いに重なり合いながら面ファスナ１０７ａ、１０７ｂを介して接続される。【００３４】  上記のように、防音パネル１０１の一方の面において垂直方向に対して下向きのルーバーを形成しながら複数の防音機能付仮設足場部材１００を支柱方向に設けることにより、複数の防音機能付仮設足場部材１００の接続部の隙間が下方向に向くため、落下物が防音機能付仮設足場部材１００の接続部の隙間から防音パネル１０１の外側に飛び出すことがなくなり安全性を向上させることができる。
【産業上の利用可能性】
【００３５】  建設現場に設置する仮設足場に利用可能である。
【符号の説明】
【００３６】  １００  防音機能付仮設足場部材
１０１  防音マット
１０３ａ、１０３ｂ  桟
１０５ａ、１０５ｂ  Ｕ字フック
１０７ａ、１０７ｂ  面ファスナ
２０１ａ、２０１ｂ  切り欠き部
２０３ａ、２０３ｂ  フラップ
【図１】
0006412230.tif 000002
【図２】
0006412230.tif 000003
【図３】
0006412230.tif 000004
【図４】
0006412230.tif 000005
【図５】
0006412230.tif 000006